(57)【特許請求の範囲】
【請求項１】
左右方向中央前部に中央駆動軸（４９ａ）、左右両側後部に左・右駆動軸（４９ｂ，４９ｃ）を夫れ夫れ縦方向に軸架し、中央駆動軸（４９a）を頂点とし、左・右駆動軸（４９ｂ，４９ｃ）を略二等辺三角形状に配置し、夫れ夫れの駆動軸の下端部に回転刈刃（５０，…）を設け、これら複数の回転刈刃（５０，…）の上方と側方をカバー体であるデッキ（２７）で被覆して草刈機（２）を構成し、この草刈機（２）を移動車両（１）に昇降自在に取り付け、
前記中央の回転刈刃（５０）の後部外周に沿わせて後部外周壁（５４ａ）を配置し、この後部外周壁（５４ａ）の左右両端に排出口（５５）に向かう左・右排出案内板（６１ａ，６１ｂ）を設けその側方に左・右排出通路（６２ａ，６２ｂ）を構成し、左側の回転刈刃（５０）からの刈草を左排出通路（６２ａ）を経由して排出口（５５）に案内し、中央及び右側回転刈刃（５０，５０）の刈草を左排出通路（６２ａ）を経由して排出口（５５）に案内する構成とし、
前記デッキ（２７）の排出口（５５）上方には左右方向の支持軸（６３，６３）を設け、
該支持軸（６３，６３）には、前記左・右排出通路（６２ａ，６２ｂ）に対向する部位に幅広の板状の掻き出し板（６４，６４）を取り付け、該掻き出し板（６４，６４）を排出口（５５）の上方位置へ待避した状態から排出口（５５）を通過してデッキ底板（２７ａ）に沿って前側に回動するように設けてなる草刈機の草除去装置。
【発明の詳細な説明】
【０００１】
【発明の属する技術分野】
この発明は、草刈機の草除去装置に関するものである。
【０００２】
【従来技術】
従来の草刈機は、左右方向に並列配置している複数の回転刈刃の周囲をカバー体であるデッキで被覆し、デッキの後側中央部には回転刈刃で刈り取った草を後方に向けて排出する排出口を設け、排出口に対向して図５に示すように所定間隔置きの掻き出し棒６６，…を設ける構成である。
【０００３】
【発明が解決しようとする問題点】
このように構成されている掻き出し棒６６，…で排出口に塊状となって詰っている草を掻き出すと、掻き出し棒６６，…の通過した部分の草だけが除去され、殆どの草は塊状でそのまま残存するという不具合があった。そこで、この発明はこのような不具合を解消しようとするものである。
【０００４】
【問題を解決するための手段】
請求項１の発明は、左右方向中央前部に中央駆動軸（４９ａ）、左右両側後部に左・右駆動軸（４９ｂ，４９ｃ）を夫れ夫れ縦方向に軸架し、中央駆動軸（４９a）を頂点とし、左・右駆動軸（４９ｂ，４９ｃ）を略二等辺三角形状に配置し、夫れ夫れの駆動軸の下端部に回転刈刃（５０，…）を設け、これら複数の回転刈刃（５０，…）の上方と側方をカバー体であるデッキ（２７）で被覆して草刈機（２）を構成し、この草刈機（２）を移動車両（１）に昇降自在に取り付け、
前記中央の回転刈刃（５０）の後部外周に沿わせて後部外周壁（５４ａ）を配置し、この後部外周壁（５４ａ）の左右両端に排出口（５５）に向かう左・右排出案内板（６１ａ，６１ｂ）を設けその側方に左・右排出通路（６２ａ，６２ｂ）を構成し、左側の回転刈刃（５０）からの刈草を左排出通路（６２ａ）を経由して排出口（５５）に案内し、中央及び右側回転刈刃（５０，５０）の刈草を左排出通路（６２ａ）を経由して排出口（５５）に案内する構成とし、
前記デッキ（２７）の排出口（５５）上方には左右方向の支持軸（６３，６３）を設け、
該支持軸（６３，６３）には、前記左・右排出通路（６２ａ，６２ｂ）に対向する部位に幅広の板状の掻き出し板（６４，６４）を夫々取り付け、該掻き出し板（６４，６４）を排出口（５５）の上方位置へ待避した状態から排出口（５５）を通過してデッキ底板（２７ａ）に沿って前側に回動するよう別個に移動操作可能に設けてなる草刈機の草除去装置とする。
【０００５】
請求項１の発明の作用は次のとおりである。左右方向に並列配置している複数の回転刈刃（５０，…）で刈り取られた草は、左・右排出通路（６２ａ，６２ｂ）を経て排出口（５５）に送り込まれ後方に排出される。左・右排出通路（６２ａ，６２ｂ）に対向して幅広に設けられている板状の掻き出し板（６４，６４）を、排出口（５５）の上方位置へ待避した状態から排出口（５５）を通過してデッキ底板（２７ａ）に沿って前側に回動することにより排出口（５５）に詰っている草を除去することができる。
【０００６】
【０００７】
【０００８】
【発明の効果】
請求項１の発明は、草刈機の排出口（５５）に塊状になって詰っている草を確実に除去することができ、然もデッキ（２７）内の左・右排出通路（６２ａ，６２ｂ）に幅広の板状の掻き出し板（６４，６４）を設けて別個に移動操作可能に構成したので、掻き出し板（６４，６４）の操作加重を軽減しながら、左・右排出通路（６２ａ，６２ｂ）に詰った草を広範囲にわたって除去することができる。
【０００９】
【発明の実施の形態】
以下、本発明の実施例の形態について説明する。トラクタ等の移動車両１の前後方向中間下部に芝や草類を地表面から刈り取る草刈機２を昇降自在に取り付け、この作業機である草刈機２の草刈り排出部に発明を折り込んだものであって、以下これにつき説明する。
【００１０】
移動車両１は図示のように乗用四輪型のトラクタであり、機体下部に左右一対の前後方向の主フレーム３，３を配設している。主フレーム３，３は前後方向中間部で機体に溶接されていて、後主フレーム３ａ，３ａを左・右後輪４，４の内側面に接近するように左右間隔を幅広に構成している。
【００１１】
主フレーム３，３は前側部を幅狭に構成し、前部上方にエンジン５を搭載している。主フレーム３，３の前側下部にフロントアクスル６をセンターピポット回りに左右揺動自在に取り付け、このフロントアクスル６の両端部にキングピン７を介して左・右前輪８，８を操舵自在に取り付けていて、ステアリングハンドル９により左・右前輪８，８を操舵する。また、左右の後主フレーム３ａ，３ａ間には左右の後車軸１０，１０を軸架したリヤーアクスル１１、及び、走行用伝動ケース１２が取り付けられている。そして、左右の後車軸１０，１０の両端部に左・右後輪４，４を取り付けている。
【００１２】
主フレーム３，３の前端部にサイドステー１３を連結し、後主フレーム３ａ，３ａの後端部に断面四角状の左右の支柱１４，１４を上下方向に直立状に固着している。支柱１４，１４の上部と後主フレーム３ａ，３ａとの間には、補強枠体（図示省略）を連結して強度のアップを図っている。
【００１３】
エンジン５の外周部をボンネット１６やサイドカバー１７で被覆し、ボンネット１６の後部上方に前記ステアリングハンドル９を配置している。左・右後輪４，４間の上方には座席１８付きのフェンダ１９を配置し、フェンダ１９の前縁部と前記サイドカバー１７との空間部に、主フレーム３，３及び後主フレーム３ａ，３ａを接近して覆うようにステップ２０を設けている。
【００１４】
エンジン５はクランク軸を後下がりに前後方向に沿わせて配置し、エンジン５の前部には前方に突出した取出軸を設けて駆動プーリ２１を取り付け、後部にはに走行用の第１ＰＴＯ軸２２を設けている。また、フロントアクスル６の左右中間部を軸支するセンターピポット軸（図示省略）の軸心方向を前記クランク軸と平行状態とし、センターピポット軸（図示省略）の前端部に従動プーリ２４を取り付け、その後端部を作業機駆動用の第２ＰＴＯ軸２５として、後方に向けて突出している。駆動プーリ２１と従動プーリ２４との間にベルト等の回転伝達具２６を巻き掛け、クラッチ（図示省略）を介して第２ＰＴＯ軸２５の回転を入／切操作している。
【００１５】
草刈機２におけるデッキ２７の中央部上方に設けられている作業伝動ケース２８の作業入力軸２９と、前記第２ＰＴＯ軸２５との間を自在継手３０を介して伝動している。機体には左右の前・後昇降リンク３１，３１の前端を軸支して、前・後昇降リンク３１，３１の後端に前記草刈機２のデッキ２７に軸支し、後昇降リンク３１の一方をリフトアーム３２とリフトリンク３３により支持し、昇降用アクチュエータである油圧シリンダ３４の伸縮により草刈機２を昇降操作する構成である。草刈機２の前後には、下降接地時のデッキ２７の高さを調節するゲージ車輪３５，３５が首振り自在に左右一対設けられている。
【００１６】
後主フレーム３ａ，３ａの内側には走行用伝動ケース１２を右側にオフセットして取り付けている。走行用伝動ケース１２の前側にはポンプとモータからなる静油圧動力駆動伝動装置である所謂ＨＳＴ装置を内装したＨＳＴケース３６を取り付けている。ＨＳＴケース３６の上部には前方に向かって走行用入力軸３７を軸架し、エンジン５から後方に向けて突出している第１ＰＴＯ軸２２から走行用自在継手３０ａを介して走行用入力軸３７に動力が伝達される。この走行用入力軸３７でポンプを駆動し、斜板の調節によりモータを所定の回転数に変速出力して、走行用伝動ケース１２内の各種歯車群に伝動し、前後進や高低速の変速をして、左・右後輪４，４に伝達し走行する構成である。
【００１７】
左右支柱１４，１４の間にはブロワ３８を内装したブロワケース３９を取り付け、ブロワケース３９におけるブロワ３８前方に対向する前壁部から前方に向けて吸気筒４０を斜め下方に設けている。吸気筒４０の前端の吸気口は正面視幅広の四角形状に開口していて、草刈機２のデッキ２７の後部から断面幅広の四角形状のシュータ４１を後方に向けて突出して設け、シュータ４１の後端部を吸気筒４０の吸気口に接続している。このシュータ４１の前端はデッキ２７の後部にヒンジを介して上下回動自在に取り付け、デッキ２７の昇降に伴いシュータ４１も昇降する構成である。
【００１８】
ブロワケース３９の上部には搬送筒４３を上方に向けて取り付け、搬送筒４３の先端を収納容器であるコレクタ４４の上部に連通している。ブロワケース３９の後壁面には、ブロワ３８駆動用の伝動装置を覆うカバーケース４５を取り付けている。カバーケース４５内には、プーリ，ベルトからなる伝動装置を内装し、ブロワケース３９の上部からブロワ入力軸（図示省略）を前方に向けて突出するように軸架し、走行用伝動ケース１２の後上部から後方に向けてブロワ駆動軸４７を軸架し、ブロワ駆動軸４７とブロワ入力軸（図示省略）との間をブロワ用自在継手３０ｂを介して伝動している。
【００１９】
しかして、ブロワ３８の回転により吸気筒４０内は負圧となり、シュータ４１も負圧になり、デッキ２７内の刈り取った芝草をブロワ３８により吸引し、搬送筒４３からコレクタ４４へ搬送する。コレクタ４４に収納された芝草が満杯になると、蓋体４８を開け排出する。
【００２０】
次に、草刈機２について説明する。主フレーム３，３の前輪８，８、後輪４，４間下方には、左右の前・後昇降リンク３１，３１，…４本を介して草刈機２を昇降自在に取り付け、この草刈機２には左右方向中央前部に中央駆動軸４９ａ、左右両側後部に左・右駆動軸４９ｂ，４９ｃを夫れ夫れ縦方向に軸架し、中央駆動軸４９ａを頂点とし、左・右駆動軸４９ｂ，４９ｃを略二等辺三角形状に配置し、夫れ夫れの駆動軸の下端部に回転刈刃５０，…を取り付け草刈装置としている。
【００２１】
これらの回転刈刃５０，…の回転軌跡は前輪８，８及び後輪よりも両側に突出し、隣接する回転刈刃５０，…の間隔は、当接しない最小の間隙を有しているが、中央の回転刈刃５０が左右の回転刈刃５０，５０よりも前方に位置しているから、正面視では回転刈刃５０，…の先端が相互に所定寸法だけ重合することなり、刈り残しは生じない構成である。
【００２２】
図３では左駆動軸４９ｂと中央駆動軸４９ａとは底面視反時計方向に回転し、右駆動軸４９ｃを時計方向の回転としている。回転刈刃５０，…はプロペラ状の平板であって、長手方向中央部を駆動軸に取り付け、平板の外周部の回転前縁部に切り刃を構成し、回転後側縁部に芝草を飛散排出する羽根板を構成している。なお、各駆動軸間は同一の角速度で回転するようにプーリ，伝動ベルトからなる刈刃伝動装置５３で伝動連結されている。
【００２３】
これらの回転刈刃５０，…の先端軌跡から所定間隔開けた外周部に、切断した芝草を案内する外周壁５４を設けている。左駆動軸４９ｂの回転刈刃５０と中央駆動軸４９ａの回転刈刃５０の回転方向を底面視反時計方向とし、切断した芝草の排出口５５を中央駆動軸４９ａの回転刈刃５０の後側としている。
【００２４】
外周壁５４の前側壁部を、同方向に回転する左側の回転刈刃５０及び中央の回転刈刃５０の前部外周部に沿うように円弧状に接近させてその端部を互いに接続し、その接続部から排出口５５に向かうように第１排出案内板５７を延長して設け、左側の回転刈刃５０及び中央の回転刈刃５０で切断した芝草を別々に排出口５５に案内している。なお、外周壁５４の後側壁部を回転刈刃５０，…の回転軌跡から等間隔に接近させ、その中央よりの端部を排出口５５に臨ませている。
【００２５】
また、外周壁５４の前側壁部を、底面視で互いに反対方向に回転する右側の回転刈刃５０及び中央の回転刈刃５０の前部外周部に沿うように円弧状にして、その端部を互いに接続させ、その接続部後端から排出口５５に向かうように第２排出案内板５８を設け、この第２排出案内板５８の終端部と排出口５５との間に比較的広い合流空間部５９を形成し、右側の回転刈刃５０及び中央の回転刈刃５０で切断した芝草を合流させながら排出口５５に案内している。
【００２６】
そして、これらの回転刈刃５０，…、外周壁５４の前側壁部及び後側壁部の前後外側や左右外側や天井部をデッキ２７で被覆している。デッキ２７の排出口５５にはデッキ後風路６０を接続し、その終端部を前記シュータ４１に接続し、切断した芝草をデッキ後風路６０からシュータ４１を経てブロワケース３９に送り込む構成である。
【００２７】
次に、図４〜図６に基づきデッキ２７の排出口５５に設けた草詰り除去装置について説明する。中央の回転刈刃５０の後部外周に沿わせて後部外周壁５４ａを配置し、後部外周壁５４ａの左右両端に排出口５５に向かう左・右排出案内板６１ａ，６１ｂを取り付けて、その側方に左・右排出通路６２ａ，６２ｂを構成し、左側の回転刈刃５０からの刈り草を左排出通路６２ａを経由して排出口５５に案内し、中央及び右側の回転刈刃５０の刈り草を右排出通路６２ａを経由して排出口５５に案内する構成としている。
【００２８】
デッキ２７の排出口５５にはデッキ後風路６０を接続し、デッキ２７の排出口５５上方には左右方向の支持軸６３を設け、支持軸６３には左・右排出通路６２ａ，６２ｂに対向する部位に幅広の板状の掻き出し板６４を取り付けて、掻き出し板６４を排出口５５の上方へ退避した状態から矢印で示すように、排出口５５を通過してデッキ底板２７ａに沿って前側に回動するように設け、支持軸６３には操作レバー６５を取り付けている。
【００２９】
なお、掻き出し板６４の回動に関連して、デッキ底板２７ａを開口回動し、掻き取った塊状の草を下方に排出する構成としてもよい。また、図３に示すように、回転刈刃５０，…の中央部後方と排出口５５との間に大きな空間を介在しているものにあっては、支持軸６３に左右方向に連続した掻き出し板６４を排出口５５の全幅にわたって設ける構成としてもよい。
【００３０】
草刈機で刈取作業をすると、デッキ２７の排出口５５に草が塊状となって詰ることがある。このように塊状となって詰った草を、例えば、図５に示すような支持軸６３に所定間隔置きに取り付けた掻き出し棒６６，…で掻き出すと、掻き出し棒６６，…の通過した部分の草だけが除去され、殆どの草は塊状でそのまま残存するという不具合がある。
【００３１】
しかし、前記実施例のように、幅広の板状の掻き出し板６４にすることにより、塊状に詰った草を排出口５５から確実に除去することができる。また、図６及び図７に示すように、中央の回転刈刃５０の後部外周に沿わせて後部外周壁５４ａを配置し、後部外周壁５４ａの左右両端に、後側ほど中央に寄るように左・右排出案内板６１ａ，６１ｂを取り付けて、左・右排出案内板６１ａ，６１ｂの側方に左・右排出通路６２ａ，６２ｂを構成し、回転刈刃５０からの刈り草を左・右排出通路６２ａ，６２ｂを経由して中央部に寄せながら排出口５５に排出する構成にあっては、左・右排出通路６２ａ，６２ｂに草の排出方向に直交するように支持軸６３，６３を設けて、これらの支持軸６３，６３に幅広の掻き出し板６４，６４及び操作レバー６５，６５を夫れ夫れ取り付ける構成としてもよい。なお、左右の支持軸６３，６３をジョイントにより連結し、単一の操作操作レバー６５を一方の支持軸６３に取り付け、左右の掻き出し板６４，６４を開閉操作できる構成としてもよい。
【００３２】
しかして、左・右排出通路６２ａ，６２ｂの広い範囲にわたって掻き出し板６４を設けることができて、操作レバー６５の加重を軽減しながら、デッキ２７の排出口５５に詰った草を広範囲に除去することができる。次に、図８に基づき草刈機の回転刈刃５０，…の伝動構成の他の実施例について説明する。
【００３３】
草刈機２におけるデッキ２７の中央部上方に設けられている作業伝動ケース２８の作業入力軸（図示省略）と、走行用伝動ケース１２の中間ＰＴＯ軸（図示省略）との間を自在継手（図示省略）を介して伝動し、作業伝動ケース２８の上方には入力プーリ６７を軸支している。また、デッキ２７の上方には、中央駆動軸４９ａ、左駆動軸４９ｂ、右駆動軸４９ｃに取り付けられている中央プーリ６８ａ、左プーリ６８ｂ、右プーリ６８ｃ、及び、第１テンションプーリ６９、第２テンションプーリ７０を設けて、これらのプーリ６８ａ，６８ｂ，６８ｃ，６９，７０に伝動ベルト７１を巻き掛け、平面視で中央プーリ６８ａ、左プーリ６８ｂを及び右プーリ６８ｃを時計方向に回転するように構成し、回転刈刃５０，…で刈り取った草をデッキ２７の右側部の排出口５５から排出するように構成している。
【００３４】
また、図９に示すように、中央プーリ６８ａ、左プーリ６８ｂ、右プーリ６８ｃ、及び、第１テンションプーリ６９、第２テンションプーリ７０、第３テンションプーリ７２に単一の伝動ベルト７１を巻き掛ける構成としてもよい。従来装置にあっては、入力プーリ６７と中央プーリ６８ａとを第一の伝動ベルトで伝動し、中央プーリ６８ａから左・右プーリ６８ｂ，６８ｃに第二の伝動ベルトで伝動して、上下二本の伝動ベルトで伝動する構成であるので、伝動空間が高くなりトラクタの機体下部に草刈機が干渉し高く吊り上げられないという不具合があった。
【００３５】
しかし、この実施例では入力プーリ６７、中央プーリ６８ａ、左・右プーリ６８ｂ，６８ｃに単一の伝動ベルト７１を巻き掛けて伝動するので、伝動空間を低くし草刈機を高く吊り上げることができる。次に、図１０に基づき回転刈刃５０の他の実施例について説明する。
【００３６】
回転刈刃５０，…はプロペラ状の平板に構成されていて、長手方向中央部を駆動軸に取り付け、平板の外周部の回転前縁部に切り刃５１を構成し、回転後側縁部に芝草を飛散排出する羽根板５２を構成している。この羽根板５２は、内周側から折り曲げを開始し外周側ほど高く起立するように折り曲げて構成し、正面視において、羽根板５２の内側端を回転刈刃５０に沿うように緩く傾斜させ、中途部を大きく屈曲させて、外周部を緩やかに傾斜するように構成して、回転刈刃５０の長手方向から見ると、切り刃５１と羽根板５２とは曲線により接合するように構成している。
【００３７】
しかして、羽根板５２の内側端部を回転刈刃５０に沿わせて低く構成しているので、刈り草の負荷抵抗を少なくして回転数の低下を防止し、外周側の高く起立した部分で草を撥ね飛ばし草詰りを防止することができる。次に、図１１〜図１３基づきトラクタの他の実施例について説明する。
【００３８】
このトラクタは左・右前輪８，８を遊転輪とし、左・右後輪４，４を駆動輪として、車体の中間下部に草刈機２を昇降自在に取り付けている。そして、車体前部より延出した前輪アーム７３，７３に、左・右前輪８，８を支持した左・右支持アーム７４，７４を上下動自在に支持すると共に、バネ７５を介装している。
【００３９】
伝動構成は図１２に示すように、エンジン５の出力軸７４から伝動軸を介してＨＳＴ（静油圧動力駆動無段変速伝動装置）を内装した変速ボックス７５に伝動し、変速ボックス７５で変速された動力をピニオンギヤ７６を経由してベベルギヤ７７に伝動し、ベベルギヤ７７を主ブレーキ装置７８により制動可能に構成している。ベベルギヤ７７から伝動ギヤ７９，８０を経て単一のリヤーアクスル軸８１に動力を伝動し、リヤーアクスル軸８１の両端から左・右アクスルケース内の左右の逆転用クラッチ８２，８２（内側）、正転用クラッチ８３，８３（外側）、及び、遊星ギヤ機構８４，８４を経て左・右後輪４，４に動力を伝動する構成である。
【００４０】
前記正転用クラッチ８３，８３は、皿バネ８５により常時圧着する構成で、圧着された状態では、正転用クラッチ８３，８３の駆動側クラッチ板と一体の遊星ギヤ機構８４，８４のサンギヤとこれに噛み合う各遊星ギヤ及び被駆動側クラッチ板と一体のキャリアとが、サンギヤを中心に一体回転する構成である。これにより、ベベルギヤ７７と一体的に回転する駆動側サンギヤの回転と被駆動側サンギヤへ１対１の回転比で動力を伝達する構成である。
【００４１】
また、逆転用クラッチ８２，８２のシリンダ室に圧油を送り込むと、クラッチ板の圧着が少しずつ解除されて駆動側のクラッチ板と被駆動側のクラッチ板との間に回転差が生じ、遊星ギヤ機構８４，８４のサンギヤへ減速された回転動力を伝動し後輪を減速回転させる。また、逆転用クラッチ８２，８２のシリンダ室に更に圧油を送り込むと、逆転用クラッチ板の圧着が完全に解除されて、遊星ギヤ機構８４，８４のサンギヤの回転はゼロとなり、その後更に圧油を送り込むと、逆転用クラッチ８２，８２の駆動側クラッチ板と被駆動側クラッチ板とが順次圧着され遊星ギヤ機構８４，８４のサンギヤに逆回転動力を伝動し後輪を逆転駆動させる。
【００４２】
前記のように単一のリヤーアクスル軸８１にＨＳＴで変速した動力を伝動し、左右の逆転用クラッチ８２，８２及び正転用クラッチ８３，８３、及び、遊星ギヤ機構８４，８４を経て左・右後輪４，４に動力を伝動するように構成したので、直進時には正確に直進し、回向時には円滑に無段階に変速しながら回向することができる。
【００４３】
また、ＨＳＴ装置を左右のリヤーアクスル軸に夫れ夫れ配置したものもあるが、左右のＨＳＴ装置の変速を一致させないと正確な直進ができないとう不具合がある。しかし、この実施例ではこのような不具合を解消することができる。次に、図１３に基づき油圧回路構成について説明する。
【００４４】
油圧ポンプ８６の圧油は減圧弁８７で所定圧に調整されて、切替弁８８を経由して左右の逆転用クラッチ８２，８２（内側）及び正転用クラッチ８３，８３（外側）のシリンダ室に送られる構成である。また、油圧ポンプ８６の圧油は草刈機昇降用の昇降切替弁８９を経由して昇降シリンダ９０に送られ、残りの圧油はＰＴＯ切替弁９１を経由してＰＴＯクラッチシリンダ９２に送られ、更に、残りの圧油はＨＳＴ装置９３にチャージ用として送りこまれる構成である。
【図面の簡単な説明】
【図１】 草刈機を移動車両に取り付けた状態の側面図である。
【図２】 草刈機を移動車両に取り付けた状態の平面図である。
【図３】 草刈機の底面図である。
【図４】 草刈機の底面図、一部の切断側面図である。
【図５】 従来の草刈機の底面図、一部の切断側面図である。
【図６】 草刈機の底面図、一部の切断側面図である。
【図７】 草刈機の平面図である。
【図８】 要部の平面図、背面図である。
【図９】 要部の平面図、背面図である。
【図１０】 要部の平面図、背面図である。
【図１１】 全体の斜視図である。
【図１２】 伝動機構図である。
【図１３】 油圧回路図である。
【符号の説明】
１ 移動車両
２ 草刈機
３ リフトアーム
２７ デッキ
２７ａ デッキ底板
４９ａ 中央駆動軸
４９ｂ 左駆動軸
４９ｃ 右駆動軸
５０ 回転刈刃
５１ 切り刃
５２ 羽根板
５４ 外周壁
５４ａ 後部外周壁
５５ 排出口
６１ａ 左排出案内板
６１ｂ 右排出案内板
６２ａ 左排出通路
６２ｂ 右排出通路
６３ 支持軸
６４ 掻き出し板
【図１】
0003951737.tif 000002
【図２】
0003951737.tif 000003
【図３】
0003951737.tif 000004
【図４】
0003951737.tif 000005
【図５】
0003951737.tif 000006
【図６】
0003951737.tif 000007
【図７】
0003951737.tif 000008
【図８】
0003951737.tif 000009
【図９】
0003951737.tif 000010
【図１０】
0003951737.tif 000011
【図１１】
0003951737.tif 000012
【図１２】
0003951737.tif 000013
【図１３】
0003951737.tif 000014